(57)【特許請求の範囲】
【請求項１】
屋根化粧パネルを取付けるためのパネル受部材と、屋根材に取付ける取付部材とを組み合わせて構成される屋根化粧パネル取付金具において、
上記パネル受部材又は上記取付部材の一方に長孔を形成すると共に、この長孔に重合される軸孔を他方に形成して、上記長孔と軸孔とを連結具で結合し、上記パネル受部材と上記取付部材とは、施工組立状態に起立し、かつ梱包収納状態に折畳可能に連結される構造にして成り、
上記パネル受部材は、両端面に屋根化粧パネルの上、下折縁を受止固定する受止折曲片を形成した前部に片部を折曲延設したアングル形状をなし、かつ
上記取付部材は、固定片に一片を折曲延設したアングル形状をなし、更に、上記パネル受部材の上記取付部材と重合する端縁は、上記取付部材の上記一片の肉厚よりもやや大きいスリット開口を形成しており、これによって、
上記取付部材は、上記スリット開口を通じて、上記パネル受部材の内方に収容されて、折畳可能にしている屋根化粧パネル取付金具。
【請求項２】
請求項１において、
上記取付部材は、その連結端の角部に切欠逃し部を形成しており、これによって、上記取付部材と上記パネル受部材とを折畳可能にしている屋根化粧パネル取付金具。
【請求項３】
請求項１又は２の何れかにおいて、
上記取付部材又上記パネル受部材のいずれか一方には、それぞれに対する他方の部材を遠ざける位置に移動せるための逃がし孔を、上記軸孔又は長孔に連設しており、これによって、上記取付部材と上記パネル受部材とを折畳可能にしている屋根化粧パネル取付金具。
【請求項４】
請求項１〜３の何れかにおいて、
上記パネル受部材には、上記取付部材の連結端の角部を貫通させる切欠逃し溝部を形成しており、これによって、上記取付部材と上記パネル受部材とを折畳可能にしている屋根化粧パネル取付金具。
【請求項５】
請求項１〜４の何れかにおいて、
上記長孔に係止される係止部を、上記パネル受部材又は上記取付部材の何れかに形成し、
上記パネル受部材と上記取付部材とが、施工組立状態、梱包収納状態の何れか一方又は両方の状態を固定保持する構造にしている屋根化粧パネル取付金具。
【請求項６】
請求項１〜５の何れかにおいて、
上記パネル受部材又は上記取付部材の何れか一方の側縁に係止される係止部を、上記パネル受部材又は上記取付部材の何れかの他方に形成し、
上記パネル受部材と上記取付部材とが、施工組立状態、梱包収納状態の何れか一方又は両方の状態を固定保持する構造にしている屋根化粧パネル取付金具。
【請求項７】
請求項１〜６の何れかにおいて、
上記長孔の長手方向に沿って、高さ位置が識別可能な目印部を形成したことを特徴とする屋根化粧パネル取付金具。
【発明の詳細な説明】
【０００１】
【発明の属する技術分野】
本発明は、屋根の軒先、ケラバ等に設けられる屋根化粧パネルを取付けるための屋根化粧パネル取付金具に関する。
【０００２】
【従来の技術】
図１８は、従来の屋根化粧パネル取付金具を示す使用状態図である。
【０００３】
屋根の軒先、ケラバ等に設けられる屋根化粧パネルＰを取付けるために、屋根化粧パネル取付金具１００を用いることは公知である。
【０００４】
この屋根化粧パネル取付金具１００は、屋根化粧パネルＰを取付けるためのパネル受部材１０１と、このパネル受部材１０１を屋根材Ｙに固定するための取付部材１０２とを、ボルト、ナットなどの連結具１０３で連結されて成る。
【０００５】
屋根化粧パネルＰは、金属板、合成樹脂板等で形成されており、その上下端には、パネル受部材１０１に係止される上、下折縁Ｐ１を形成している。
【０００６】
パネル受部材１０１には、屋根化粧パネルＰの上、下折縁Ｐ１を係止するために、上下端に受止折曲片１１１が形成され、且つ、このパネル受部材１０１の取付け高さを調節するための長孔１２１を長手方向に形成している。
【０００７】
取付部材１０２には、屋根材Ｙにボルト等の固定具Ｋを挿通するための複数の取付孔１２２が形成され、且つ、この取付部材１０２の軒先或いはケラバ側の一端には、上記連結具１０３が挿通される軸孔１３２を設けている。
【０００８】
このように形成された屋根化粧パネル取付金具１００は、図例のように、屋根材Ｙの適所に固定されたボルト等の固定具Ｋに、取付部材１０２の取付孔１２２を貫通し、これにナットを螺合して取付部材１０２を固定する。
【０００９】
次いで、取付部材１０２の一端に連結されたパネル受部材１０１を鉛直方向に位置付けたうえで、上記連結具１０３を締め付ければ、パネル受部材１０１は、取付部材１０２に連結して固定される。
【００１０】
そして、鉛直方向に固定されたパネル受部材１０１の受止折曲片１１１に、屋根化粧パネルＰの上、下折縁Ｐ１を係止して、屋根の軒先、ケラバ等に屋根化粧パネルＰを取付けるのである。
【００１１】
【発明が解決しようとする課題】
しかしながら、上述のようにして使用される屋根化粧パネル取付金具１００は、これを作業現場などに搬送したり、或いは、組み立てる際に問題があった。
【００１２】
すなわち、屋根化粧パネル取付金具１００は、パネル受部材１０１と、取付部材１０２と、これらを連結する連結具１０３とで構成されているが、各々の部材を仮組みせずに、作業現場に搬送し、これを高所の作業現場で一々組み立てて使用することは、非常に手間を要し、また、部品を落せば危険であり、さらに、屋根化粧パネル取付金具１００を組立てる際には、パネル受部材１０１を鉛直方向に位置付けながら、取付部材１０２に対して、ボルト、ナットなどの連結具１０３を締め付けて固定しなければならず、正確に位置決めして締め付け、固定するのに手間がかかるため、一般には、各々の部材を仮組み状態で搬送している。
【００１３】
ところが、この仮組み状態では、パネル受部材１０１と、取付部材１０２とを折り畳むことができないため、搬送時に大型化となり、持ち運びが不便なうえ、輸送コストも増すという問題があった。
【００１４】
本発明は、かかる課題を解決することを目的とし、仮組み状態であっても、折り畳んでコンパクトに搬送できる屋根化粧パネル取付金具を提供する。
【００１５】
【課題を解決するための手段】
上記目的を達成するため、
請求項１に係る屋根化粧パネル取付金具は、屋根化粧パネルを取付けるためのパネル受部材と、屋根材に取付ける取付部材とを組み合わせて構成される屋根化粧パネル取付金具において、上記パネル受部材又は上記取付部材の一方に長孔を形成すると共に、この長孔に重合される軸孔を他方に形成して、上記長孔と軸孔とを連結具で結合し、上記パネル受部材と上記取付部材とは、施工組立状態に起立し、かつ梱包収納状態に折畳可能に連結される構造にして成り、上記パネル受部材は、両端面に屋根化粧パネルの上、下折縁を受止固定する受止折曲片を形成した前部に片部を折曲延設したアングル形状をなし、かつ上記取付部材は、固定片に一片を折曲延設したアングル形状をなし、更に、上記パネル受部材の上記取付部材と重合する端縁は、上記取付部材の上記一片の肉厚よりもやや大きいスリット開口を形成しており、これによって、上記取付部材は、上記スリット開口を通じて、上記パネル受部材の内方に収容されて、折畳可能にしている。
【００１６】
このものでは、パネル受部材と取付部材を起倒状態に可能な構造にしているので、仮組みされた状態であっても、パネル受部材と、取付部材とを折り畳むことができ、搬送時に小型化となり、持ち運びが便利なうえ、輸送コストをも削減できる。
また、上記パネル受部材は、両端面に屋根化粧パネルの上、下折縁を受止固定する受止折曲片を形成した前部に片部を折曲延設したアングル形状をなし、かつ上記取付部材は、固定片に一片を折曲延設したアングル形状をなし、このパネル受部材の取付部材と重合する端縁は、上記取付部材の上記一片の肉厚よりもやや大きいスリット開口を形成しており、これによって、上記取付部材は、上記スリット開口を通じて、上記パネル受部材の内方に収容されて、折畳可能にしているので、取付部材は、スリット開口を通じて、パネル受部材の内方に収容されて、パネル受部材と取付部材とを、より小型に折り畳むことができる。
【００１７】
請求項２に係る屋根化粧パネル取付金具は、請求項１において、上記取付部材は、その連結端の角部に切欠逃し部を形成しており、これによって、上記取付部材と上記パネル受部材とを折畳可能にしている。
【００１８】
このものでは、取付部材に切欠逃し部を形成して、パネル受部材と取付部材を折畳可能にしており、請求項１と同様の効果を得ることができる。
【００１９】
請求項３に係る屋根化粧パネル取付金具は、請求項１又は２の何れかにおいて、上記取付部材又は上記パネル受部材のいずれか一方には、それぞれに対する他方の部材を遠ざける位置に移動せるための逃がし孔を、上記軸孔又は長孔に連設しており、これによって、上記取付部材と上記パネル受部材とを折畳可能にしている。
【００２０】
このものでは、軸孔又は長孔に連設される逃がし孔を形成して、取付部材とパネル受部材とを遠ざける位置に移動可能な構造にしており、請求項１と同様の効果を得ることができる。
【００２１】
請求項４に係る屋根化粧パネル取付金具は、請求項１〜３の何れかにおいて、上記パネル受部材には、上記取付部材の連結端の角部を貫通させる切欠逃し溝部を形成しており、これによって、上記取付部材と上記パネル受部材とを折畳可能にしている。
【００２２】
このものでは、取付部材の連結端の角部が、パネル受部材の切欠逃し溝部を貫通する構造にしており、請求項１と同様の効果を得ることができる。
【００２５】
請求項５に係る屋根化粧パネル取付金具は、請求項１〜４の何れかにおいて、上記長孔に係止される係止部を、上記パネル受部材又は上記取付部材の何れかに形成し、上記パネル受部材と上記取付部材とが、施工組立状態、梱包収納状態の何れか一方又は両方の状態を固定保持する構造にしている。
【００２６】
このものでは、係止部が長孔に係止されることで、パネル受部材と取付部材とが施工組立状態、梱包収納状態の何れか一方又は両方の状態を固定保持する構造にしており、パネル受部材と取付部材とが、施工組立状態、梱包収納状態の何れか一方又は両方の状態において、動くことがなく、確実に固定保持しつつ、請求項１と同様の効果を得ることができる。
【００２７】
請求項６に係る屋根化粧パネル取付金具は、請求項１〜５の何れかにおいて、上記パネル受部材又は上記取付部材の何れか一方の側縁に係止される係止部を、上記パネル受部材又は上記取付部材の何れかの他方に形成し、上記パネル受部材と上記取付部材とが、施工組立状態、梱包収納状態の何れか一方又は両方の状態を固定保持する構造にしている。
【００２８】
このものでは、係止部がパネル受部材又は取付部材の何れか一方の側縁に係止されることで、パネル受部材と取付部材とが施工組立状態、梱包収納状態の何れか一方又は両方の状態を固定保持する構造にしており、請求項１と同様の効果を得ることができる。
【００２９】
請求項７に係る屋根化粧パネル取付金具は、請求項１〜６の何れかにおいて、上記長孔の長手方向に沿って、高さ位置が識別可能な目印部を形成したことを特徴とする。
このものでは、目印部を形成することで、例えば、施工組立状態に起立された上記パネル受部材の高さ位置を、容易に識別できる。
【００３０】
このものでは、目印部を形成することで、例えば、施工組立状態に起立された上記パネル受部材の高さ位置を、容易に識別できる。
【００３１】
【発明の実施の形態】
以下、本発明に係る屋根化粧パネル取付金具を図面に基づき説明する。
【００３２】
図１は、本発明に係る屋根化粧パネル取付金具Ａの一実施例を示す使用状態図、図２は、本発明に係る屋根化粧パネル取付金具Ａの一実施例を示す分解斜視図、図３は、図２の仮組み状態を示す斜視図である。
【００３３】
この屋根化粧パネル取付金具Ａは、屋根化粧パネルＰを取付けるためのパネル受部材１と、このパネル受部材１を屋根材Ｙに固定するための取付部材２とを、ボルト、ナットなどの連結具３で連結されて成る。
【００３４】
屋根化粧パネルＰは、従来同様、金属板、合成樹脂板等で形成されており、その上下端には、パネル受部材１に係止される上、下折縁Ｐ１を形成している。
【００３５】
パネル受部材１は、屋根化粧パネルPに応じて、これを取付可能な形状であれば良いが、本実施例では、パネル受部材１は、両端面に屋根化粧パネルＰの上、下折縁を受止固定する受止折曲片１１を形成した前部１０に片部１２を折曲延設したアングル形状をなしている。
【００３６】
すなわち、パネル受部材１の側面には、長手方向に向けて片部１２を形成しており、この片部１２には、取付け高さを調節するための長孔１３を、略中央から一端側に向けて形成している。
【００３７】
さらに、パネル受部材１の連結端、すなわち、長孔１３が形成された一端側の受止折曲片１１と、片部１２との間には、取付部材２の一片２１の肉厚よりもやや大きいスリット開口１４を形成している。
【００３８】
さらにまた、長孔１３の長手方向に沿って、パネル受部材１の高さ位置が識別可能な目盛等の目印部１７を形成しても良く、このような目印部１７を形成することで、例えば、施工組立状態に起立されたパネル受部材１の高さ位置を、容易に識別でき、施工作業が軽減される。
【００３９】
取付部材２は、屋根材Ｙに固定可能であって、且つ、パネル受部材１に折畳可能な形状であれば良いが、本実施例では、固定片２２に一片２１を折曲延設したL型アングル材を例示している。
【００４０】
この取付部材２の固定片２２には、屋根材Ｙにボルト等の固定具Ｋを挿通するための複数の取付孔２３を適所に形成している。
【００４１】
また、取付部材２の一片２１の軒先或いはケラバ側には、パネル受部材１の長孔１３に重合され、且つ、連結具３が挿通される軸孔２４を形成している。
【００４２】
また、取付部材２の一片２１の適所には、パネル受部材１の長孔１３に係止されるか、或いは、パネル受部材１の片部１２の側縁１２ａに係止される係止部２５を形成している。
【００４３】
ここで、係止部２５は、パネル受部材１と取付部材２が梱包収納状態のときに、パネル受部材１の長孔１３に係止されるか、或いは、パネル受部材１の片部１２の側縁１２ａに係止されるものであれば良く、ここでは、パネル受部材１の長孔１３と係脱可能な凸状の係止部２５を示している。
【００４４】
さらに、取付部材２には、その連結端の角部、つまり軸孔２４側に位置される一片２１の角部を切り欠いて、切欠逃し部２６を形成している。
【００４５】
この切欠逃し部２６は、パネル受部材１を回転させたときに取付部材２に引っ掛からないように、例えば、図５（ａ）、（ｂ）に示すように、取付部材２の角部を切り欠いたものであれば良い。
【００４６】
このように形成されたパネル受部材１の長孔１３と、取付部材２の軸孔２４を重合し、これに連結具３のボルトを貫通したうえで、ナットを螺合すれば、パネル受部材１と取付部材２が、図３で示すような仮組み状態（連結具３のナットをかたく締め付けていない状態）に連結でき、また、切欠逃し部２６を形成することで、パネル受部材１が取付部材２に引っ掛からずに、これを回転自在にできる。
【００４７】
そのため、この仮組み状態では、パネル受部材１は、連結具３を軸中心にして図中の矢印に示すように回転でき、パネル受部材１と取付部材２とが、連結具３を介して施工組立状態に起立し、かつ梱包収納状態に折畳可能となる。
【００４８】
また、パネル受部材１が、図３で示すような梱包収納状態のときには、取付部材２の係止部２５が、パネル受部材１の長孔１３に係止されるため、パネル受部材１と取付部材２とが、動くことがなく、この梱包収納状態を確実に固定保持できる。
【００４９】
図４は、本発明に係る屋根化粧パネル取付金具Ａの施工時での動作を示す概略図である。
【００５０】
上述のように形成された屋根化粧パネル取付金具Ａは、以下の要領で施工する。
【００５１】
以下、図１、図４に基づいて説明する。
【００５２】
先ず、梱包収納状態のまま、屋根材Ｙの適所に取付部材２の固定片２２を配置し、これを固定具Ｋを用いて屋根材Ｙに固定する〔図４（ａ）参照〕。
【００５３】
次いで、パネル受部材１の端部を上方から軽く叩くなどして、長孔１３と係止部２５との係止を離脱し、図中矢印に示すように回転させて、パネル受部材１を鉛直方向に向けて起立させる〔図４（ｂ）、（ｃ）参照〕。
【００５４】
そして、パネル受部材１の内面が、取付部材２の連結端縁に当接し、それ以上の回転が規制されると共に、パネル受部材１が施工組立状態に起立され、この状態で、連結具３を締め付ければ、パネル受部材１は、取付部材２と連結して固定される。
【００５５】
最後に、施工組立状態に起立して固定されたパネル受部材１の受止折曲片１１に、従来同様、屋根化粧パネルＰの上、下折縁Ｐ１を受止め固定して、屋根の軒先、ケラバ等に屋根化粧パネルＰを取付けるのである。
【００５６】
このように、本発明の屋根化粧パネル取付金具Ａによれば、パネル受部材１と取付部材２を起倒状態に可能な構造にしているので、仮組みされた状態であっても、パネル受部材１と、取付部材２とを折り畳んで重合することができ、搬送時に小型化となり、持ち運びが便利なうえ、輸送コストをも削減できる。
【００５７】
また、係止部２５によって梱包収納状態を維持した状態に固定できるので、例えば、搬送時の梱包収納状態であっても、その状態を維持してガタツキを防止でき、搬送中などの各々の部材の傷付きを防止できる。
【００５８】
さらに、施工時の施工組立状態でも、起立されるようにしているので、ボルト、ナットなどの連結具３の締め付け作業を容易にできる。
【００５９】
図６は、本発明に係る屋根化粧パネル取付金具Ａの他の実施例を示す分解斜視図、図７（ａ）〜（ｃ）及び図８（ｄ）、（ｅ）は、図６の施工時での動作を示す要部の拡大概略図である。
【００６０】
なお、図１〜図５で示された部位と共通する部位には、共通の番号を付し、その説明は省略する。
【００６１】
この屋根化粧パネル取付金具Ａは、取付部材２、パネル受部材１のいずれか一方には、それぞれに対する他方の部材を遠ざける位置に移動せるための逃がし孔１５を、軸孔２４又は長孔１３に連設しており、これによって、取付部材２とパネル受部材１とを折畳可能にしている。
【００６２】
ここでは、上記切欠逃し部２６に代えて、取付部材２の軸孔２４に連設された逃がし孔１５を形成したものを例示して説明するが、上記切欠逃し部２６に加えて形成しても良い。
【００６３】
このような屋根化粧パネル取付金具Ａでは、上記同様、梱包収納状態のまま、屋根材Ｙの適所に取付部材２の固定片２２を配置し、これを固定具Ｋを用いて屋根材Ｙに固定する〔図１、図７（ａ）参照〕。
【００６４】
次いで、パネル受部材１の端部を上方から軽く叩くなどして、長孔１３と係止部２５との係止を離脱し、パネル受部材１を鉛直方向に向けて起立させるのであるが、このままでは、取付部材２の連結端の角部が、パネル受部材１の内面に当接してしまうので、取付部材２をパネル受部材１から遠ざける位置に移動させれば、連結具３が軸孔２４から逃がし孔１５に移動する〔図７（ｂ）、（ｃ）参照〕。
【００６５】
このように取付部材２をパネル受部材１から遠ざけた状態であれば、パネル受部材１を鉛直方向に向けて起立できる〔図８（ｄ）参照〕。
【００６６】
そして、パネル受部材１の内面が、取付部材２の連結端縁に当接し、それ以上の回転が規制されると共に、取付部材２をパネル受部材１に近づける位置に戻せば、連結具３が再び軸孔２４に移動して、パネル受部材１が施工組立状態に起立され、この状態で、連結具３を締め付ければ、パネル受部材１は、取付部材２と略直交状態に連結して固定される〔図８（ｅ）参照〕。
【００６７】
最後に、上記同様、施工組立状態に起立して固定されたパネル受部材１の受止折曲片１１に、従来同様、屋根化粧パネルＰの上、下折縁Ｐ１を受止め固定して、屋根の軒先、ケラバ等に屋根化粧パネルＰを取付けるのである。
【００６８】
このような屋根化粧パネル取付金具Ａによれば、軸孔２４に連設される逃がし孔１５を形成して、取付部材２とパネル受部材１とを遠ざける位置に移動可能な構造にしているので、仮組みされた状態であっても、パネル受部材１と、取付部材２とを折り畳んで重合することができ、上記同様の効果を得ることができる。
【００６９】
なお、図９は、取付部材２の軸孔２４に連設された逃がし孔１５の様々な態様例を示した概略図であり、これらのような逃がし孔１５を形成しても同様の効果を得る。
【００７０】
また、図１０（ａ）〜（ｄ）は、取付部材２の軸孔２４に連設された逃がし孔１５と、上記の切欠逃し部２６が併設されたものを例示した概略図である。
【００７１】
図１１（ａ）〜（ｈ）は、パネル受部材１に逃がし孔１５を設けた場合の様々な態様を示す概略正面図である。
【００７２】
ここでは、パネル受部材１の長孔１３に、連結具３が移動される逃がし孔１５を形成したものである。
【００７３】
これらのパネル受部材１には、何れも長孔１３に貫通される連結具３の軸心を移動できるような逃がし孔１５を形成して、取付部材２とパネル受部材１とを遠ざける位置に移動可能な構造にしているので、仮組みされた状態であっても、パネル受部材１と、取付部材２とを折り畳んで重合することができ、上記同様の効果を得ることができる。
【００７４】
なお、逃がし孔１５は、軸孔２４及び長孔１３の両方に形成しても勿論構わない。
【００７５】
図１２は、本発明に係る屋根化粧パネル取付金具Ａの更に他の実施例を示す分解斜視図、図１３（ａ）〜（ｃ）は、図１２の施工時での動作を示す要部の拡大概略図である。
【００７６】
なお、図２、図６、図７で示された部位と共通する部位には、共通の番号を付し、その説明は省略する。
【００７７】
この屋根化粧パネル取付金具Ａは、パネル受部材１には、取付部材２の連結端の角部２１ａを貫通させる切欠逃し溝部１６を形成しており、これによって、取付部材２とパネル受部材１とを折畳可能にしている。
【００７８】
このような屋根化粧パネル取付金具Ａでは、上記同様、梱包収納状態のまま、屋根材Ｙの適所に取付部材２の固定片２２を配置し、これを固定具Ｋを用いて屋根材Ｙに固定する〔図１、図１３（ａ）参照〕。
【００７９】
次いで、パネル受部材１の端部を上方から軽く叩くなどして、長孔１３と係止部２５との係止を離脱し、パネル受部材１を鉛直方向に向けて起立させれば、取付部材２の連結端の角部２１ａが、パネル受部材１に当接せずに、切欠逃し溝部１６を貫通する〔図１３（ｂ）参照〕。
【００８０】
そして、パネル受部材１の内面が、取付部材２の連結端縁に当接し、それ以上の回転が規制されて、パネル受部材１が施工組立状態に起立され、この状態で、連結具３を締め付ければ、パネル受部材１は、取付部材２と略直交状態に連結して固定される〔図１３（ｃ）参照〕。
【００８１】
最後に、上記同様、施工組立状態に起立して固定されたパネル受部材１の受止折曲片１１に、従来同様、屋根化粧パネルＰの上、下折縁Ｐ１の上、下折縁を受止め固定して、屋根の軒先、ケラバ等に屋根化粧パネルＰを取付けるのである。
【００８２】
このような屋根化粧パネル取付金具Ａによれば、取付部材２の連結端の角部２１ａが、パネル受部材１の切欠逃し溝部１６を貫通する構造にしているので、仮組みされた状態でっても、パネル受部材１と、取付部材２とを折り畳んで重合することができ、上記同様の効果を得ることができる。
【００８３】
図１４は、本発明の係止部の他の実施例を示す斜視図であり、図１５（ａ）〜（ｆ）は、係止部の様々な態様例を示した概略図である。
【００８４】
なお、図２〜図４で示された部位と共通する部位には、共通の番号を付し、その説明は省略する。
【００８５】
この係止部２５は、図２〜図４で示したものとは異なり、パネル受部材１の片部１２の側縁１２ａに係脱可能な構造のものを示しており、ここでは、片部１２一端の傾斜された側縁１２ａに係脱される爪片状の係止部２５を示している。
【００８６】
このような係止部２５によれば、図１４で示すような梱包収納状態のときには、取付部材２の係止部２５が、パネル受部材１の側縁１２ａに係止されるため、パネル受部材１と取付部材２とが、動くことがなく、この梱包収納状態を確実に固定保持できる。
【００８７】
なお、本実施例で示された係止部２５は、様々な態様に形成でき、その一例を図１５（ａ）〜（ｆ）に示している。
【００８８】
図１６及び図１７は、本発明の係止部の更に他の実施例を示す斜視図である。
【００８９】
なお、図１〜図１５で示された部位と共通する部位には、共通の番号を付し、その説明は省略する。
【００９０】
図１６では、取付部材２の係止部２５が、パネル受部材１の長孔１３に係止された施工組立状態を示し、図１７では、取付部材２の係止部２５が、パネル受部材１の側縁１２ａに係止された施工組立状態を各々示している。
【００９１】
このような係止部２５によれば、図１６で示すように、パネル受部材１が起立された組立施工状態のときには、取付部材２の係止部２５が、パネル受部材１の長孔１３に係止されるか、又は、図１７で示すように、取付部材２の係止部２５が、パネル受部材１の側縁１２ａに係止されるため、何れの場合であっても、パネル受部材１と取付部材２とが、動くことがなく、この組立施工状態を確実に固定保持できる。
【００９２】
なお、本実施例で示された様々な態様の係止部２５は、これらを適宜組み合わせて使用することもできる。
【発明の効果】
本発明によれば、パネル受部材は、両端面に屋根化粧パネルの上、下折縁を受止固定する受止折曲片を形成した前部に片部を折曲延設したアングル形状をなし、かつ取付部材は、固定片に一片を折曲延設したアングル形状をなし、更に、パネル受部材の取付部材と重合する端縁は、取付部材の一片の肉厚よりもやや大きいスリット開口を形成しており、これによって、取付部材は、スリット開口を通じて、パネル受部材の内方に収容されて、折畳可能な構造にしているので、仮組みされた状態であっても、パネル受部材と、取付部材とを折り畳んで重合することができ、搬送時に小型化となり、持ち運びが便利なうえ、輸送コストをも削減できる。
【００９３】
また、梱包収納状態及び施工組立状態で固定可能に連結される構造にしているので、例えば、搬送時の梱包収納状態であっても、その状態を維持してガタツキを防止でき、搬送中などの各々の部材の傷付きを防止できる。
【００９４】
さらに、施工時の施工組立状態でも、その状態が維持されるように固定可能にしているので、ボルト、ナットなどの連結具の締め付け作業を容易にできる。
【００９５】
また、パネル受部材の長孔の長手方向に沿って目印部を形成すれば、施工組立状態に起立されたパネル受部材の高さ位置を、容易に識別できる。
【図面の簡単な説明】
【図 １】本発明に係る屋根化粧パネル取付金具Ａの一実施例を示す使用状態図
【図 ２】本発明に係る屋根化粧パネル取付金具Ａの一実施例を示す分解斜視図
【図 ３】図２の仮組み状態を示す斜視図
【図 ４】本発明に係る屋根化粧パネル取付金具Ａの施工時での動作を示す概略図
【図 ５】（ａ）、（ｂ）は、本発明の取付部材に形成される切欠逃し部の一例を示す部分拡大図
【図 ６】本発明に係る屋根化粧パネル取付金具Ａの他の実施例を示す分解斜視図
【図 ７】（ａ）〜（ｃ）は、図６の施工時での動作を示す要部の拡大概略図
【図 ８】（ｄ）、（ｅ）は、図６の施工時での動作を示す要部の拡大概略図本発明の取付部材に形成された軸孔の更に他の実施例を示す部分拡大図
【図 ９】取付部材の軸孔に連設された逃がし孔の様々な態様例を示した概略図
【図１０】取付部材の軸孔に連設された逃がし孔と、切欠逃し部が併設されたものを例示した概略図
【図１１】（ａ）〜（ｈ）は、パネル受部材に逃がし孔を設けた場合の様々な態様を示す概略正面図
【図１２】本発明に係る屋根化粧パネル取付金具Ａの更に他の実施例を示す分解斜視図
【図１３】（ａ）〜（ｃ）は、図１２の施工時での動作を示す要部の拡大概略図
【図１４】本発明の係止部の他の実施例を示す斜視図
【図１５】（ａ）〜（ｆ）は、係止部の様々な態様例を示した概略図
【図１６】本発明の係止部（長孔の係止）の更に他の実施例を示す斜視図
【図１７】本発明の係止部（端縁の係止）の更に他の実施例を示す斜視図
【図１８】従来の屋根化粧パネル取付金具を示す使用状態図
【符号の説明】
Ａ      屋根化粧パネル取付金具
Ｐ      屋根化粧パネル
Ｐ１    上、下折縁
Ｙ      屋根材
１      パネル受部材
１０    前部
１１    受止折曲片
１２    片部
１２ａ  側縁
１３    長孔
１４    スリット開口
１５    逃がし孔
１６    切欠逃し溝部
２      取付部材
２１ａ  角部
２２    固定片
２４    軸孔
２５    係止部
２６    切欠逃し部
３      連結具
【図１】
0003624907.tif 000002
【図２】
0003624907.tif 000003
【図３】
0003624907.tif 000004
【図４】
0003624907.tif 000005
【図５】
0003624907.tif 000006
【図６】
0003624907.tif 000007
【図７】
0003624907.tif 000008
【図８】
0003624907.tif 000009
【図９】
0003624907.tif 000010
【図１０】
0003624907.tif 000011
【図１１】
0003624907.tif 000012
【図１２】
0003624907.tif 000013
【図１３】
0003624907.tif 000014
【図１４】
0003624907.tif 000015
【図１５】
0003624907.tif 000016
【図１６】
0003624907.tif 000017
【図１７】
0003624907.tif 000018
【図１８】
0003624907.tif 000019